(57)【特許請求の範囲】
【請求項１】
電池パックから充電器へ二次電池の端子電圧および／または電流に関する信号を伝送する信号伝送システムにおいて、
上記電池パックは、
第１、第２および第３の端子と、
上記第１および第２の端子との間に、直列に接続される二次電池およびスイッチ手段と、
上記第１または第２の端子と、上記第３の端子とを介して供給される電源から所定の電源を生成する電源生成手段と、
上記スイッチ手段を制御し、上記生成された電源からパルス状の上記信号を生成し、上記生成されたパルス状の信号を上記第１または第２の端子と、上記第３の端子とを介して伝送する制御手段とを有し、
上記充電器は、
上記第１または第２の端子と、上記第３の端子とを介して上記電池パックへ供給する電源を商用電源から獲得するようにしたことを特徴とする信号伝送システム。
【請求項２】
さらに、上記電池パックは、
上記電源生成手段から供給される上記電源の電圧および／または電流を検出する検出手段を設け、
上記制御手段は、上記検出手段の検出結果が所定の電圧値より高い場合および／または所定の電流値より低い場合は上記スイッチ手段をオンにし、所定の電圧値より低い場合および／または所定の電流値より高い場合は上記スイッチ手段をオフにする
請求項１に記載の信号伝送システム。
【請求項３】
さらに、上記電池パックは、
上記二次電池の端子電圧および／または電流を検出する二次電池保護検出手段を設け、
上記制御手段は、上記二次電池保護検出手段の検出結果が所定の電圧値より高い場合および／または所定の電流値より低い場合は上記スイッチ手段をオンにし、所定の電圧値より低い場合および／または所定の電流値より高い場合は上記スイッチ手段をオフにする
請求項１に記載の信号伝送システム。
【請求項４】
上記電源生成手段から供給される上記電源で、上記二次電池を充電するようにしたことを特徴とする請求項１に記載の信号伝送システム。
【請求項５】
第１、第２および第３の端子と、
上記第１および第２の端子との間に、直列に接続される二次電池およびスイッチ手段と、
上記第１または第２の端子と、上記第３の端子とを介して供給される電源から所定の電源を生成する電源生成手段と、
上記スイッチ手段を制御し、上記生成された電源から上記二次電池の端子電圧および／または電流に関するパルス状の信号を生成し、上記生成されたパルス状の信号を上記第１または第２の端子と、上記第３の端子とを介して伝送する制御手段と
からなることを特徴とする電池パック。
【請求項６】
さらに、上記電源生成手段から供給される上記電源の電圧および／または電流を検出する検出手段を設け、
上記制御手段は、上記検出手段の検出結果が所定の電圧値より高い場合および／または所定の電流値より低い場合は上記スイッチ手段をオンにし、所定の電圧値より低い場合および／または所定の電流値より高い場合は上記スイッチ手段をオフにする
請求項５に記載の電池パック。
【請求項７】
さらに、上記二次電池の端子電圧および／または電流を検出する二次電池保護検出手段を設け、
上記制御手段は、上記二次電池保護検出手段の検出結果が所定の電圧値より高い場合および／または所定の電流値より低い場合は上記スイッチ手段をオンにし、所定の電圧値より低い場合および／または所定の電流値より高い場合は上記スイッチ手段をオフにする
請求項５に記載の電池パック。
【請求項８】
上記電源生成手段から供給される上記電源で、上記二次電池を充電するようにしたことを特徴とする請求項５に記載の電池パック。
【発明の詳細な説明】
【０００１】
【発明の属する技術分野】
この発明は、電池パックの充電および放電を行うときに用いて好適な信号伝送システムおよび電池パックに関する。
【０００２】
【従来の技術】
従来、携帯電話およびＶＴＲ一体型デジタルカメラ（以下、これらを総して電子機器と称する）には、充電可能な電池パックが用いられている。この電池パックは、二次電池から構成され、電子機器に内蔵された状態または取り外し可能な状態で用いられる。そして、電子機器に電池パックが取り付けられた状態でその電池パックに対して充電を行うことができる。また、電池パックには、二次電池以外に保護回路が設けられている。この保護回路には、二次電池の電圧、電流および温度を検出する回路などが設けられている。
【０００３】
これは、例えば、過充電によって、二次電池が過熱し、二次電池が発熱することがある。最悪の場合、過充電が原因となって火災が発生することがある。従って、電池パックには、二次電池の過熱を防止するために、電圧、電流および温度を検出する保護回路が設けられている。
【０００４】
従来、図１７に示すように、電池パックに接続されたインピーダンスを検出して保護回路を制御する方法があった。この図１７では、端子Ｔ１、Ｔ２、Ｔ３、信号受信発信回路１１１、検出制御回路１１２、スイッチ回路ＳＷおよび二次電池ＢＴから電池パックＢＰが構成される。インピーダンス１１３は、端子Ｔ１およびＴ２を介して接続され、インピーダンス１１４は、端子Ｔ２およびＴ３を介して接続される。インピーダンス１１３または１１４が接続されると、信号受信発信回路１１１において、接続されたインピーダンス１１３または１１４から得られる信号が受信される。受信された信号は、信号受信発信回路１１１から検出制御回路１１２へ供給される。検出制御回路１１２では、二次電池ＢＴの温度、端子電圧および／または電流が検出される。この検出制御回路１１２は、検出された二次電池ＢＴの温度、端子電圧および／または電流と、供給された信号とに応じてスイッチ回路ＳＷを制御する。
【０００５】
【発明が解決しようとする課題】
しかしながら、このようにインピーダンスを検出して保護回路を制御する方法では、信号を伝送することができるのは、充電時および放電時の何れか一方のときのみとなる問題があった。さらに、使用範囲が狭いという問題もあった。
【０００６】
また、伝送する信号をデジタル信号とすると、回路が高価になる問題があった。そして、従来は、電池パックから外部に信号を伝送するときの電源を、その電池パックに含まれる二次電池から獲得していたので、二次電池の電圧が低下すると、デジタル信号を出力することができなくなると共に、電子機器の制御ができなくなる問題があった。
【０００７】
これに対して、二次電池の電圧が低下しても信号を出力するためには、その電源を供給する端子が必要となるので、少なくとも４つの端子が必要となる問題があった。
【０００８】
従って、この発明の目的は、３つの端子でもって、外部から電源を供給し、且つ充電時および放電時であっても信号を外部に伝送することができる信号伝送システムおよび電池パックを提供することにある。
【０００９】
【課題を解決するための手段】
請求項１に記載の発明は、電池パックから充電器へ二次電池の端子電圧および／または電流に関する信号を伝送する信号伝送システムにおいて、電池パックは、第１、第２および第３の端子と、第１および第２の端子との間に、直列に接続される二次電池およびスイッチ手段と、第１または第２の端子と、第３の端子とを介して供給される電源から所定の電源を生成する電源生成手段と、スイッチ手段を制御し、生成された電源からパルス状の信号を生成し、生成されたパルス状の信号を第１または第２の端子と、第３の端子とを介して伝送する制御手段とを有し、充電器は、第１または第２の端子と、第３の端子とを介して電池パックへ供給する電源を商用電源から獲得するようにしたことを特徴とする信号伝送システムである。
【００１０】
請求項５に記載の発明は、第１、第２および第３の端子と、第１および第２の端子との間に、直列に接続される二次電池およびスイッチ手段と、第１または第２の端子と、第３の端子とを介して供給される電源から所定の電源を生成する電源生成手段と、スイッチ手段を制御し、生成された電源から二次電池の端子電圧および／または電流に関するパルス状の信号を生成し、生成されたパルス状の信号を第１または第２の端子と、第３の端子とを介して伝送する制御手段とからなることを特徴とする電池パックである。
【００１１】
このように、３つの端子でもって充電器と、電池パックとが接続され、充電器で、商用電源から生成される電源が供給され、供給された電源で外部に信号を伝送することができる。
【００１２】
【発明の実施の形態】
以下、この発明の実施形態について図面を参照して説明する。なお、各図に亘り同じ効果を有するものには、同一の参照符号を付し、説明の重複を避ける。図１は、この発明が適用された第１の実施形態を示す。この図１では、電池パックＢＰは、電源供給回路１、制御回路２、信号検出回路３、信号回路４、端子Ｔ１、Ｔ２、Ｔ３、二次電池ＢＴおよびスイッチ回路ＳＷから構成される。
【００１３】
端子Ｔ１およびＴ３には、電子機器の負荷５が接続され、端子Ｔ２およびＴ３には、充電器から得られる電源部６が接続される。端子Ｔ１およびＴ３との間に、二次電池ＢＴおよびスイッチ回路ＳＷが直列に接続される。
【００１４】
電源供給回路１では、端子Ｔ２を介して電源部６から供給される電源を、定電圧定電流として制御回路２へ供給することができる。この電源供給回路１で生成される定電圧定電流は、制御回路２を動作させることができるものである。そして、信号検出回路３では、端子Ｔ２を介して電源部６から供給される電源の電圧電流が検出される。検出された電圧電流は、信号検出回路３から信号回路４へ供給される。信号回路４は、検出された電圧電流に応じて、信号を生成するように、その旨の信号が制御回路２へ供給される。制御回路２は、信号回路４からの信号に応じてスイッチ回路ＳＷを制御する。
【００１５】
このようにして、スイッチ回路ＳＷが制御されるので、電源部６から電池パックＢＰへ供給される電圧電流は、パルス状に変化する。その変化した電圧電流を信号検出回路３では、検出する。
【００１６】
ここで、電源部６の電圧特性の一例を図２に示す。時点ｔ０で電子機器に充電器が取り付けられる。電圧ｖ１以下となる時点ｔ０〜ｔ１の期間では、二次電池の充電が停止され、電子機器の動作も停止される。電圧ｖ１越え、およびｖ２以下となる時点ｔ１〜ｔ２の期間では、二次電池の充電のみが停止され、電子機器を動作させるための電源が電子機器へ供給される。電圧ｖ２（時点ｔ２）を越える場合、二次電池が充電され、電子機器を動作させるための電源が電子機器へ供給される。
【００１７】
このようにすることによって、電池パックＢＰが電子機器と接続された状態で、且つ電池パックＢＰの二次電池ＢＴの電源が低下している状態で、充電を行っている場合、充電器から得られる電源によって、電池パックＢＰの保護回路を動作させることができる。このとき、電子機器が動作すると、二次電池ＢＴへの充電は停止し、充電器から得られる電源は、電子機器を動作させるための電源として電子機器へ供給される。
【００１８】
例えば、この第１の実施形態は、図３に示すように、電池パックＢＰが接続された電子機器とＡＣアダプタ１２とが接続されたものである。プラグ１１を介して商用電源がＡＣアダプタ１２へ供給される。ＡＣアダプタ１２では、商用電源から所定の電源へ変換される。変換された所定の電源は、端子Ｔ４およびＴ５を介して電子機器へ供給される。
【００１９】
電子機器は、充電回路１３、電源部１４、信号回路１５および電子機器の負荷１６から構成される。充電回路１３では、ＡＣアダプタ１２から供給された電源が所定の電圧電流へ変換され、電子機器の負荷回路１６と、電源部１４と、電池パックＢＰとに供給される。この電池パックＢＰには、端子Ｔ１およびＴ３を介して電源が供給される。
【００２０】
電源部１４では、充電回路１３から供給された電圧電流から電池パックＢＰへ供給するための電源が生成される。この電源部１４で生成された電源は、電池パックＢＰの二次電池ＢＴの電圧電流が低下した場合でも、電池パックＢＰの制御を行うために必要な電源であり、端子Ｔ２を介して電池パックＢＰへ供給される。信号回路１５では、端子Ｔ２を介して電池パックＢＰの充電停止回路１７を制御する信号が生成される。この信号回路１５では、電子機器の状態に基づいて、二次電池ＢＴの充電を行うための電源を供給するか否かが判断され、その旨の信号が端子Ｔ２を介して充電停止回路１７へ供給される。
【００２１】
電池パックＢＰは、充電停止回路１７および二次電池ＢＴから構成される。充電停止回路１７は、端子Ｔ２を介して信号回路１５から供給される信号によって制御される。この充電停止回路１７の動作が停止している間、二次電池ＢＴの充電が行われ、充電停止回路１７が動作している間、二次電池ＢＴの充電が停止される。
【００２２】
ここで、電子機器の一例を図４を参照して説明する。端子Ｔ４およびＴ５を介してＡＣアダプタ１２から供給される電源の電圧が電圧検出回路２１で検出される。電圧検出回路２１で所定値以上の電圧が検出されるときに、電圧検出回路２１から制御回路２３へ信号が供給される。電池電圧検出回路２２では、端子Ｔ１およびＴ３を介して供給される二次電池ＢＴの電圧が検出される。この電池電圧検出回路２２で所定の範囲以外となる電圧が検出されるときに、電池電圧検出回路２２から制御回路２３へ信号が供給される。すなわち、所定の範囲より小さい二次電池ＢＴの電圧が検出されたとき、または所定の範囲を超える二次電池ＢＴの電圧が検出されたときに、電池電圧検出回路２２から制御回路２３へその旨の信号が供給される。制御回路２３は、電圧検出回路２１からの信号と、電池電圧検出回路２２からの信号とに基づいて、充電停止信号回路２４を制御する。
【００２３】
この一例では、電圧検出回路２１において、所定値以上の電圧が検出されるときに、制御回路２３へ信号が供給されるようにしているが、電圧検出回路２１で所定値未満の電圧が検出されるときに、制御回路２３へ信号が供給されるようにしても良い。
【００２４】
また、電源部１４は、充電回路１３から電源を得るようにしているが、図４中点線で示すように、端子Ｔ４から電源を得るようにしても良い。
【００２５】
さらに、電池電圧検出回路２２において、所定の範囲より小さい二次電池ＢＴの電圧が検出されたとき、または所定の範囲を超える二次電池ＢＴの電圧が検出されたときに、電池電圧検出回路２２から制御回路２３へその旨の信号が供給されるようにしてるが、所定の範囲の電圧が検出されたときに、電池電圧検出回路２２から制御回路２３へその旨の信号が供給されるようにしても良い。
【００２６】
この第１の実施形態の動作を図５に示すフローチャートを参照して説明する。ステップＳ１では、入力電源が供給されているまたは充電回路１３が動作している。ステップＳ２では、二次電池ＢＴの端子電圧が検出される。ステップＳ３では、検出された端子電圧が所定電圧以下か否かが判断され、所定電圧以下であると判断されると、ステップＳ４へ制御が移り、所定電圧を超えていると判断されると、ステップＳ１５へ制御が移る。
【００２７】
ステップＳ４では、充電ストップ信号が発生する。ステップＳ５では、スイッチ回路ＳＷがオフとされる。ステップＳ６では、充電回路１３が動作する。ステップＳ７では、電子機器が動作する。ステップＳ８では、電子機器の動作が検出される。ステップＳ９では、電子機器の動作が停止しているか否かが判断され、電子機器の動作が停止していると判断されると、ステップＳ１０へ制御が移り、電子機器が動作していると判断されると、ステップＳ８へ制御が戻る。
【００２８】
ステップＳ１０では、発生していた充電ストップ信号が解除される。ステップＳ１１では、スイッチ回路ＳＷがオンとされる。ステップＳ１２では、二次電池ＢＴに対して充電が開始される。ステップＳ１３では、入力電圧が停止される。ステップＳ１４では、充電回路１３の動作が停止される。
【００２９】
また、ステップＳ３において、所定電圧を超えていると判断され、ステップＳ１５へ制御が移ると、ステップＳ１５では、電子機器が動作する。ステップＳ１６では、充電回路１３が動作し、ステップＳ１２へ制御が移る。
【００３０】
この発明の第２の実施形態を図６を参照して説明する。端子Ｔ２およびＴ３の間に設けられた電圧検出回路３１では、電源部から得られる電圧が検出される。例えば、図７に示すように、電圧ｖ１、ｖ２、ｖ３、ｖ４の値が検出される。電圧ｖ１は、制御回路３３を動作させるために少なくとも必要な電圧値である。電圧ｖ２は、電子機器に電源を供給するために少なくとも必要な電圧値である。電圧ｖ３およびｖ４は、電池パックＢＰから外部へ伝送される信号として用いられる電圧値である。このように、電圧検出回路３１で検出された電圧が制御回路３３へ供給される。
【００３１】
定電圧回路３２では、端子Ｔ２から供給される電圧から制御回路３３へ供給する定電圧が生成される。保護検出回路３４は、二次電池ＢＴを保護するためのものである。一例として、保護検出回路３４では、二次電池ＢＴの端子電圧および電流が検出される。検出された端子電圧および電流は、制御回路３３へ供給される。制御回路３３は、定電圧回路３２から供給された電圧によって、動作する。そして、制御回路３３は、電圧検出回路３１および保護検出回路３４から供給される電圧、端子電圧および電流に基づいて、スイッチ回路ＳＷのオン／オフを制御する。この第２の実施形態では、図７に示す電圧ｖ１、ｖ２およびｖ３の電圧のとき、充電しながら、電子機器を動作させ、電圧ｖ４以上となると、充電を停止させる。
【００３２】
電圧検出回路３１の回路の一例を図８に示す。電圧ｖ２に設定されたツェナーダイオード４１のカソードは、端子Ｔ２と接続され、そのアノードは、抵抗４２を介して端子Ｔ３と接続される。ツェナーダイオード４１のアノードから端子４３が導出される。電圧ｖ４に設定されたツェナーダイオード４４のカソードは、端子Ｔ２と接続され、そのアノードは、抵抗４５を介して端子Ｔ３と接続される。ツェナーダイオード４４のアノードから端子４６が導出される。この一例では、検出された電圧が電圧ｖ２の場合、端子４３から信号が出力され、検出された電圧が電圧ｖ４の場合、端子４３および４６から信号が出力される。
【００３３】
スイッチ回路ＳＷの回路の一例を図９に示す。この図９では、スイッチ回路ＳＷは、ＦＥＴ５４および５５から構成される。ＮＰＮ型のトランジスタ５２のベースは、端子５１と接続され、そのエミッタは、端子Ｔ３と接続され、そのコレクタは、ＦＥＴ５４のゲートと接続される。制御回路３３とＦＥＴ５４のゲートとの間に、抵抗５３が挿入される。ＦＥＴ５４のソースは、端子Ｔ３と接続され、そのドレインは、ＦＥＴ５６のドレインと接続される。ＦＥＴ５６のベースは、抵抗５５を介して制御回路３３と接続され、そのソースは、抵抗３５を介して二次電池ＢＴの−側に接続される。なお、ＦＥＴ５４および５６には、寄生ダイオード５４ａおよび５６ａが設けられている。
【００３４】
図１０に示す範囲ａの電圧が端子５１を介してトランジスタ５２のベースに供給されると、スイッチ回路ＳＷは、オフとなり、範囲ａ以下および越える電圧が端子５１を介してトランジスタ５２のベースに供給されると、スイッチ回路ＳＷは、オンとなる。また、ＦＥＴ５４は、充電時にオンとなり、ＦＥＴ５６は、放電時にオンとなる。
【００３５】
上述した図８に示す電圧検出回路と、図９に示すスイッチ回路ＳＷとからなる回路の一例を図１１に示す。ツェナーダイオード４１のアノードと、トランジスタ５２のベースとの間に、抵抗６２が挿入される。ツェナーダイオード４４のアノードと、ＮＰＮ型のトランジスタ６３のベースとの間に、抵抗６１が挿入される。トランジスタ６３のエミッタは、端子Ｔ３と接続され、そのコレクタは、トランジスタ５２のベースと接続される。
【００３６】
ツェナーダイオード４１のツェナー電圧を越えると、トランジスタ５２がオンとなり、ＦＥＴ５４がオフとなる。ツェナーダイオード４１およびツェナーダイオード４４のツェナー電圧を越えると、トランジスタ６３がオンとなり、トランジスタ５２がオフとなる。トランジスタ５２がオフとなるので、ＦＥＴ５４がオンとなる。
【００３７】
次に、電流で制御する一例を図１２を参照して説明する。この図１２には、電池パックＢＰに接続するＡＣアダプタの一部として、定電流回路７１および制御回路７２が示されている。電池パックＢＰは、定電圧回路７３、回路電源部７４、電流検出回路７５、負荷部７６、オン・オフ信号発生回路７７、制御回路７８、スイッチ回路ＳＷおよび二次電池ＢＴから構成される。
【００３８】
定電流回路７１は、制御回路７２によって制御され、充電器から得られる電源から定電流が生成される。生成された定電流は、端子Ｔ２を介して電池パックＢＰへ供給される。電池パックＢＰでは、定電圧回路７３によって、所望の定電圧が生成される。生成された定電圧は、回路電源部７４へ供給される。回路電源部７４では、図示しないが、電池パックＢＰ内の各回路へ電源が供給される。電流検出回路７５では、供給される電流が検出される。電流検出回路７５と端子Ｔ３との間に、負荷７６が設けられている。
【００３９】
電流検出回路７５では、図１３に示すように電流Ｉ１、Ｉ２およびＩ３の何れか１つが検出される。従って、上述した電圧で制御する場合と同様に、電流で制御することができる。電流検出回路７５において、検出された電流Ｉ１、Ｉ２またはＩ３は、オン・オフ信号発生回路７７へ供給される。オン・オフ信号発生回路７７では、供給された電流に応じてオン信号またはオフ信号が制御回路７８へ供給される。制御回路７８では、供給されたオン信号またはオフ信号に応じて、スイッチ回路ＳＷをオンまたはオフとするように制御信号がスイッチ回路ＳＷへ供給される。
【００４０】
この発明の第３の実施形態を図１４を参照して説明する。この図１４は、二次電池ＢＴの端子電圧が、入力される電圧より低い場合に、小電力で二次電池ＢＴを充電するものである。急速充電ができない端子電圧の場合も、同様に充電する。検出制御回路８１では、端子Ｔ２から伝送される電圧が検出される。検出された電圧は、検出制御回路８１から制御回路８２へ供給される。また、検出制御回路８１では、検出された電圧に基づいて、ＮＰＮ型のトランジスタ８３のベースに制御信号が供給される。
【００４１】
トランジスタ８３のエミッタは、端子Ｔ３と接続され、そのコレクタは、ＦＥＴ８４のゲートと接続される。制御回路８２によって制御されるＦＥＴ８４および８５は、それぞれのゲートへ制御回路８２から制御信号が供給される。ＦＥＴ８４のソースは、端子Ｔ３と接続され、そのドレインは、ＦＥＴ８５のドレインと接続される。ＦＥＴ８５のソースは、二次電池ＢＴの−側と接続される。なお、ＦＥＴ８４および８５には、寄生ダイオード８４ａおよび８５ａが設けられている。制御回路８２では、検出制御回路８１から供給された信号に応じてＦＥＴ８４および８５をオン／オフさせる。
【００４２】
この第３の実施形態では、ＦＥＴ８４をハイインピーダンスにするためにトランジスタ８３をオンさせる。このように、トランジスタ８３のインピーダンスを変えることによって、ＦＥＴ８４をオフさせないで、インピーダンスを持たせる。
【００４３】
第３の実施形態の他の例を図１５に示す。検出制御回路８１では、検出された電圧に基づいて、ＰＮＰ型のトランジスタ９１のベースに制御信号が供給される。トランジスタ９１のエミッタは、端子Ｔ２と接続され、そのコレクタは、二次電池ＢＴの＋側と接続される。端子Ｔ１と二次電池ＢＴとの間に、ＦＥＴ９２および９３が設けられている。ＦＥＴ９２のソースは、端子Ｔ１と接続され、そのドレインは、ＦＥＴ９３のドレインと接続される。ＦＥＴ９３のソースは、二次電池ＢＴの＋側と接続される。ＦＥＴ９２のゲートおよびＦＥＴ９３のゲートは、制御回路８２と接続され、制御回路８２から制御信号が供給される。なお、ＦＥＴ９２および９３には、寄生ダイオード９２ａおよび９３ａが設けられている。
【００４４】
このようにすることによって、例えば、二次電池ＢＴの端子電圧が下がってきた場合、トランジスタ９１をオンとすることによって、端子Ｔ２を介して得られる電源を二次電池ＢＴに供給し、充電することができる。
【００４５】
第３の実施形態のさらに他の例を図１６に示す。この図１６に示すように、端子Ｔ１およびＴ２に接続される電源部１０１は、小電力用の充電電流を出力する電源であり、端子Ｔ２およびＴ３に接続される１０２は、電池バックＢＰから外部に信号を伝送するために用いられる電源である。検出回路１０３では、電圧および電流が検出される。制御回路１０４では、供給された電圧および電流を電源として、検出された電圧および電流に基づいた制御信号がＦＥＴ１０６のゲートへ供給される。さらに、制御回路１０５では、制御回路１０４からの信号に基づいて、ＦＥＴ１０７および１０８のオン／オフが制御される。なお、ＦＥＴ１０６、１０７および１０８には、寄生ダイオード１０６ａ、１０７ａおよび１０８ａが設けられている。
【００４６】
このように、小電力の充電用電源と信号用の電源とを用いるようにしても良い。
【００４７】
【発明の効果】
この発明に依れば、電池パックから伝送する信号を生成するための電源が外部から供給され、その電源が供給される端子と、信号を伝送するための端子とが同じ端子を利用することができるので、電池パックには、３つの端子があれば良い。従って、電池パックの外形を小さくすることができる。
【００４８】
また、この発明に依れば、外部から供給される電源を利用することによって、二次電池ＢＴの容量に関係なく保護回路として設けられているスイッチ回路ＳＷを制御することができ、さらに信号を発生し、発生した信号を外部に伝送することができる。
【図面の簡単な説明】
【図１】この発明を適用することができる電池パックの第１の実施形態のブロック図である。
【図２】この発明による電圧特性を説明するための略線図である。
【図３】この発明を適用することができる充電装置の概略的構成を示すブロック図である。
【図４】この発明を適用することができる電子機器の一例のブロック図である。
【図５】この発明の第１の実施形態の動作を説明するためのフローチャートである。
【図６】この発明を適用することができる電池パックの第２の実施形態のブロック図である。
【図７】この発明による電圧特性を説明するための略線図である。
【図８】この発明に適用することができる電圧検出回路の一例である。
【図９】この発明に適用することができるスイッチ回路の一例である。
【図１０】この発明による電圧特性を説明するための略線図である。
【図１１】この発明に適用することができる電圧検出回路およびスイッチ回路の一例である。
【図１２】この発明を適用することができる電池パックの一例のブロック図である。
【図１３】この発明による電圧電流特性を説明するための略線図である。
【図１４】この発明を適用することができる電池パックの第３の実施形態のブロック図である。
【図１５】この発明を適用することができる電池パックの他の例のブロック図である。
【図１６】この発明を適用することができる電池パックのさらに他の例のブロック図である。
【図１７】従来の電池パックを説明するためのブロック図である。
【符号の説明】
Ｔ１、Ｔ２、ｔ３・・・端子、ＢＴ・・・二次電池、ＳＷ・・・スイッチ回路、１・・・電源供給回路、２・・・制御回路、３・・・信号検出回路、４・・・信号回路、５・・・負荷、６・・・電源部
【図１】
0004378849.tif 000002
【図２】
0004378849.tif 000003
【図３】
0004378849.tif 000004
【図４】
0004378849.tif 000005
【図５】
0004378849.tif 000006
【図６】
0004378849.tif 000007
【図７】
0004378849.tif 000008
【図８】
0004378849.tif 000009
【図９】
0004378849.tif 000010
【図１０】
0004378849.tif 000011
【図１１】
0004378849.tif 000012
【図１２】
0004378849.tif 000013
【図１３】
0004378849.tif 000014
【図１４】
0004378849.tif 000015
【図１５】
0004378849.tif 000016
【図１６】
0004378849.tif 000017
【図１７】
0004378849.tif 000018